(57)【特許請求の範囲】
【請求項１】
荷電粒子または極性をもった水分子を含む流体中に光半導体触媒を配置し、該半導体触媒が配置された場に磁界を形成させ、荷電粒子または極性をもった水分子に磁界中で運動エネルギーを付与して該荷電粒子または極性をもった水分子に電磁誘導エネルギーを付与することにより、該半導体触媒の触媒反応を高めることを特徴とする触媒反応の強化方法。
【請求項２】
光半導体触媒が酸化物半導体触媒である請求項１記載の方法。
【請求項３】
酸化物半導体が二酸化チタンである請求項１記載の方法。
【請求項４】
二酸化チタンを活性炭および磁鉄鉱とともに使用する請求項３記載の方法。
【請求項５】
磁界が交番磁界である請求項１〜４のいずれかに記載の方法。
【請求項６】
磁界が０．１テスラ（１０００ガウス）以上である請求項１〜５のいずれかに記載の方法。
【請求項７】
触媒反応が流体中の窒素酸化物の還元である請求項１〜６のいずれかに記載の方法。
【請求項８】
触媒反応が流体中の有機塩素化合物の脱塩素反応である請求項１〜７のいずれかに記載の方法。
【発明の詳細な説明】
技術分野
本発明は、触媒反応の強化方法に関し、さらに詳しくは半導体触媒による酸化・還元反応・脱窒素反応・脱硫黄反応・脱塩素反応等の触媒反応を磁界と荷電粒子とによって高める磁場触媒法の技術に関する。気体や水に溶存した化学物質の酸化・還元等の反応を効率的・経済的且つ大量に進めるのに有用な技術であり、特に化学プラント、環境汚染対策、浄水処理、脱臭処理、空気清浄処理、農業・畜産用等に利用できるものである。
背景技術
従来、流体（すなわち気体・液体）に磁界を与えて気体・液体の活性化・改質を行う技術が知られている。又酸化チタンなどの酸化物等の半導体触媒に紫外線エネルギーを照射し、その触媒面に接触する気体や液体に酸化・還元反応、脱窒素反応、脱硫黄反応、脱塩素反応等を生起させる技術（光触媒法）も広く知られている。
しかしながら、これらの単独の使用ではその効果・反応が充分でなかったり、又持続性に乏しいものであった。
特に、光触媒反応は触媒表面に充分量の紫外線エネルギーが到達させることが、触媒反応を生起させる必須条件となり、紫外線エネルギーの触媒表面への到達を妨げる様々な要因（触媒表面の汚れ、微粒子による光散乱、光エネルギーの液相による吸収・減弱、等）や低いエネルギー効率（照射エネルギーあたりの触媒効果）が、本格的な実用化を妨げる大きな障壁となっている。
発明の開示
本発明が解決しようとする課題は、従来の流体の磁気活性化法と光触媒法の原理を組み合わせることにより、双方の弱点を同時に克服しようというものである。具体的には、磁界中で運動する荷電粒子に発生する電磁誘導エネルギーを半導体の触媒反応に利用することにより、半導体が有する触媒能を最大限に引き出し、且つ、持続的にその能力を保持できる、半導体の触媒反応の強化法を提供することにある。特に、好適にはこの発明を用いた効果的な窒素酸化物の還元方法と塩素系有機化合物の脱塩素反応の提供にある。
かかる課題を解決した本発明の構成は、荷電粒子を含む流体中に半導体触媒を配置し、該半導体触媒が配置された場に磁界を形成させて該荷電粒子に電磁誘導エネルギーを付与することにより、該半導体触媒の触媒反応を高めることを特徴とする触媒反応の強化方法（請求項１）、ならびに半導体触媒層、該触媒層に荷電粒子を含む流体を導入し排出する流体供給・排出手段ならびに該流体に磁界を形成させるための磁界発生部を備えてなる触媒反応装置（請求項１３）、を要旨とする。
本発明では、好適には、半導体触媒と接触する気体又は液体の流体内に荷電粒子を含ませ、この流体を所要の速度で流しながら半導体触媒の流路箇所に磁界を与えることで、荷電粒子に電磁誘導エネルギー（ローレンツ力）を図４のａ，ｂに示すように生起させる。この活性化された荷電粒子が持つ励起されたエネルギーは半導体触媒に接触することでこれに供与されその触媒機能を高め、様々な反応（酸化・還元反応、脱窒素反応、脱硫黄反応、脱塩素反応等）を効率的に進行させることができる。
さらに、荷電粒子を流路中を移動させるばかりでなく、反応器等の槽内の流体に超音波振動を与えて運動を与えることによっても同様な効果を与えうる。
本発明において使用される半導体触媒としては、ＴｉＯ２（二酸化チタン），ＺｎＯ，Ｎｂ２Ｏ５，ＳｒＴｉＯ３，ＰｂＮｂ２Ｏ６，Ｋ４Ｎｂ６Ｏ１７等の酸化物、ＣｄＳ，ＺｎＳ等の硫化物、ポリパラフェニレン等の有機高分子が挙げられ、目的とする触媒反応により適宜選択しうる。
これらのうちで、酸化物半導体が好適であり、さらには酸化・還元反応を生起する二酸化チタンが最も好ましい。
流体中の荷電粒子の例として下記の成分・元素がある。気体に含まれる荷電粒子の例としては、窒素酸化物、硫黄酸化物、オゾン、臭い成分、などがある。さらに、液体に含まれる荷電粒子の例としては、窒素酸化物；トリクロロエチレン、テトラクロロエチレン、トリクロロエタン、ダイオキシン類、トリハロメタン等の有機塩素化合物；Ｎａ，Ｍｇイオン；各種の人工化学物質、などがある。更に、水分子そのものも極性をもち、広い意味で荷電しているので、本発明の荷電粒子の一種である。電子分布に局在（偏在）がある物質であれば本発明の荷電粒子となりうる。これらの荷電粒子は、必ずしも触媒反応を受ける物質でなくてもよい。
本発明の印加する磁界としては一方向の磁界（直流磁界）と、磁力線方向を反転させる交番磁界との場合があり、高速で強磁界を反転させることにより酸化物半導体の触媒作用を高める。その発生方法は、電磁石と、永久磁石があり、これらを通路外周又は通路内に配置して酸化物半導体の場所に磁界を与える。磁界の強さは、０．１テスラ（１０００ガウス）以上であるのが好適である。
さらに、本発明において荷電粒子に運動エネルギーを付与する方法として、大きく三つの方法がある。第１の方法は、荷電粒子を一方向性に直線あるいは回転運動させる方法である（例えば荷電粒子を流体圧で移動させる方法）。第２の方法は、荷電粒子に超音波・マイクロウェーブのエネルギーを与えて荷電粒子を直接ランダム運動させる方法である。第３の方法は、半導体触媒を運動させることで荷電粒子を触媒との衝突と触媒面における粘性によって間接的に運動させる方法である（例えば半導体触媒を荷電粒子のある空間内で回転運動、往復運動、ランダム運動させる）。これを生み出すエネルギー源として、（１）流体にあらかじめ付与されている液圧、（２）各種の自然エネルギー（位置エネルギー、風力エネルギー、波力や潮力エネルギー等の自然エネルギーなど）、（３）人工エネルギー（電力モーター、内燃エンジン、超音波、マイクロウェーブなど）などが挙げられる。
また、二酸化チタン等の半導体触媒に関しても以下のような態様が選択されうる。
（１）触媒のサイズ
粒径が小さくて、表面積が大きい方が好ましいが、膜状、塊状等のバルクであってもよい。
（２）目的とする触媒反応に至適な各種化合物の選定
二酸化チタンと鉛の化合物では、光触媒反応によってＣＯ２からメタンを産生する（炭酸同化反応）効率が二酸化チタン単独より約３０倍増強されること、テトラチタン酸バリウムにルテニウムを担持させることにより、紫外線エネルギーにて水を水素と酸素に分解出来ること（水分解反応）、等もわかっている。このように、従来の酸化物半導体等を使った光触媒法で検討されてきた様々な経験や技術を基に、目的とする触媒反応に適合した酸化物半導体の化合物を選定することが出来、目的とする触媒反応を従来法より効率的に実施しうる。もちろん、光照射法を併用することもできる。
（３）他の触媒との併用
二酸化チタン等の半導体触媒に活性炭や酸化鉄を組み合わせることにより、触媒作用を強化することができる。
（４）ｐＨコントロールとの併用
流体中に酸・アルカリ成分を付加して最適ｐＨ値にｐＨ値コントロールすることで、更に本発明の触媒反応を高めることができる。
（５）流体中にＨ２Ｏ２やオゾンＯ−３を添加することによってフリーラジカルの発生を高めて触媒反応を強化できる。
本発明方法を実施するために、半導体触媒層、該触媒層に荷電粒子を含む流体を導入し排出する流体供給・排出手段ならびに該流体に磁界を形成させるための磁界発生部を備えてなる触媒反応装置が用いられる。半導体触媒層は、流体の通路もしくは反応容器等の槽内に配置されうるが、触媒層自体は、固定床、流動床等のいかなる方式であってもよい。さらに、流体供給・排出手段も特に制限されず、ポンプ等によることができる。磁界発生部も、特に制限されないが、上述のように交番磁界を印加しうるものが好適である。
本発明を使用して半導体触媒の触媒作用を高め、持続力を保持できるので、下記のような種々の分野で活用できる。
１．一般の有機化学合成や化学分解プラントへの応用
２．環境汚染対策
１）自動車やゴミ焼却によって排出される排ガス中の脱窒素、脱硫黄、脱塩素処理
２）家庭排水、産業排水、産排処理施設からの排水、一般下水処理施設からの排水等の脱窒素、脱硫黄、脱塩素処理や各種人工化学物質の除去や無毒化
３）湖沼や河川、池、海等の富栄養化対策（脱窒素、脱燐酸等）
４）湖沼や河川、池、海、土壌等に含まれる各種人工化学物質の効率的な除去
５）自然エネルギーを利用して二酸化炭素からメタンを合成するシステムを開発する事による地球温暖化対策
３．健康・保健対策
１）上水道施設や個別の浄水施設（企業、ホテル、病院、家庭など）における浄水処理（水質浄化や各種人工化学物質の除去や無毒化）
２）一般家庭用水道水に含まれる可能性のある有害物質（塩素、トリハロメタン、環境ホルモン類など）の分解・除去
３）プール、公衆浴場などの水質浄化
４）消臭、除菌機能を合わせ持つ空気清浄機の開発
４．産業への応用
１）浄化水あるいは磁場活性水としての農業（畜産・養鶏・園芸等）への利用
２）活魚、熱帯魚、養殖魚などの水槽の浄化システム
３）自然エネルギーを利用した水分解システムによる、燃料電池の原料となる水素燃料の供給。
発明を実施するための最良の形態
以下、本発明の実施例を図面とデータに基づいて説明するが、本発明はこれらに限定されるものではない。
図１は、実施例１〜３における磁場を印加させてない状態の実施装置の構造を示す説明図である。
図２は、実施例１〜３の実施装置の磁石の配置と計測点を示す説明図である。
実施例１〜３は半導体触媒として二酸化チタン粒子を通路途中に充填し、その通路外周に４，０００Ｇａｕｓｓの表面磁束密度のネオジ磁石（Ｎｄ−Ｆｅ−Ｂ  Ｍａｇｎｅｔ）を配置し、原液をポンプで強制圧送し、原液を二酸化チタンの酸化還元反応で活性化し、これによって原液を浄化・活性化することができるようにした例である。
図１，２中、１は原液を流す通路、１ａは同通路を形成する横幅３７ｍｍ，高さ１５ｍｍ，全長１，０００ｍｍで肉厚１．５ｍｍのステンレスパイプ、２は酸化物半導体である粒状二酸化チタン、３は原液４を１．９Ｌ／ｍｉｎの低速と、５．４Ｌ／ｍｉｎの高速で通路に送り込む加圧ポンプ、４は処理される原液、５は活性化処理された処理液、６は４，０００Ｇａｕｓｓの表面磁束密度のネオジ磁石、７は粒子間距離が２．５ｃｍの誘導起電力測定端子で、通路１のＡ，Ｂ，Ｃの３箇所で計測される。通路１のＡ点は入口から２５ｃｍの位置，Ｂ点は入口から４０ｃｍの位置及びＣ点は入口から７５ｃｍの位置にある。
（電磁誘導エネルギー）
本発明における磁界と荷電粒子による電磁誘導エネルギーの発生について説明すると、荷電粒子が磁界中を運動する時に受ける力をローレンツ力といい、一様な磁界内に垂直に入射した荷電粒子は、磁界にも、また、荷電粒子の運動方向にも垂直な方向でローレンツ力（電磁誘導エネルギー）を受ける。その力Ｆは、荷電粒子の電荷をｑ、荷電粒子の速度をｖ、磁束密度をＢとすると
Ｆ＝ｑｖＢ  （１）
で示される。
そして、この時に、発生する電圧ｅｔは
ｅｔ＝ｅｓ＋（ＥＬ）＝ｅｓ＋（（ＶｘＢ）Ｌ）    （２）
ここで、ｅｓは静電圧、Ｅは流れによって生ずる電場のベクトル、Ｌは磁場に置かれた２つの電極の間隔、Ｖは流体の流れのベクトル、Ｂは磁場のベクトルである。
実際、１Ｖの電位差で電子が加速されて得るエネルギー１ｅＶは１．６×１０−１９Ｊであり、これを温度に換算してみる（Ｂｏｌｔｚｍａｎｎ定数ｋ＝１．３８ｘ１０−２３ＪＫ−１で割る）と
１ｅＶ＝１１，５８８．３Ｋ＝１１，３１５℃      （３）
となる。
以下に、本発明による磁場活性化により実際にどの程度の起電力が生じるかを示す。原液を水道水として流速を変え、図１，２に示すＡ，Ｂ，Ｃの箇所で誘導起電力を２回計測して平均値を計算した結果を下記表１に示している。水道水中の主な荷電粒子は、Ｎａ＋，Ｍｇ＋＋，Ｃｌ−イオン等である。
0004346271.tif 000002
0004346271.tif 000003
以上の結果から、次のことがわかる。
１：通路１に磁場を負荷するだけで、その起電力の基礎値は大きく変動する。これは、水道水中に存在する荷電粒子の分布が強力な磁場の影響で偏ったために生ずる起電力と考えられる。
２：さらに、加圧ポンプ３で強制的に通水すると、流速に依存して起電力が大きく変化する。これは、強磁界中に存在する荷電粒子に運動エネルギーが加えられることにより生じる電磁誘導エネルギー（ローレンツ力）により発生した起電力と考えられる。
３：この時生じる電磁エネルギー（磁石ありの上記表中のＢ：測定箇所の値−６９．０）を（３）式より温度換算すると
１１，３１５℃  ×  ６９／１０００＝７８０．７℃
の温度上昇に匹敵する。
（酸化・還元反応の触媒）
二酸化チタン等の酸化物半導体類を使った光触媒システムでは充分量の光エネルギーを触媒金属表面に直接到達させる必要があった。これに対し、本発明は、電磁誘導エネルギーと電磁波の一種である光エネルギーの本質が同一のものである事に注目し、光が充分に到達できない水溶液中や閉鎖空間であっても荷電粒子自身に直接負荷される電磁誘導エネルギーの一部が酸化物半導体金属に伝えられることにより光触媒反応と化学反応を生じせしめることができる。もちろん、紫外線等の光エネルギーと併用することもできる。
実施例１（磁場触媒を使った脱硝反応）
図１，２の装置を使用し、原液４として、下記の硝酸ナトリウム溶液を使用し、ケースＡ，Ｂ，Ｃにおける磁場触媒処理後の処理液５の亜硝酸および硝酸イオン濃度を計測して、脱硝酸反応を確認する。
１：原液４として１０ｍｇ／Ｌ（１０ｐｐｍ）の硝酸ナトリウム溶液（水道水中の許容限界）を作成する。
２：表１の試験と同様な実験システムを使って磁場触媒処理後の溶液（処理液５）中の硝酸イオン濃度を高速液体クロマトグラム法（ＨＰＬＣ）を使って検体を分離し、グリース反応させ、最終的にジアゾ発色強度によって定量した。以下ＮＯｘの濃度は吸光度検出器から電圧強度の積分値として表現している（ピーク面積）。
ケースＡ：１０ｐｐｍの硝酸ナトリウムを含んだ磁場触媒処理前溶液（原液４）で検出されるＮＯｘのピーク面積
ケースＢ：磁石を装着しないシステムで処理をした時のＮＯｘのピーク面積
ケースＣ：磁石を装着した磁場触媒処理をした時のＮＯｘのピーク面積
その結果を下記表２に示す。
0004346271.tif 000004
以上の結果から、
１：磁石を装着しない場合はＮＯ−３からＮＯ−２へのシフトが約１０％見られたが、ＮＯｘとしての総量に変化は見られなかった。
２：これに対して、磁石を装着した場合は、１回の磁場触媒処理で約２０％の総窒素酸化物を消失させることができた。本実験結果からも明らかなように、本触媒システムを有効に機能させるためには磁場活性化が必要条件といえる。
３：このシステムを多段階式あるいは循環式に構築した場合劇的な脱硝効果が期待できる。
実施例２（磁場触媒を使った脱塩素反応）
図１，２の装置を用い、原液４として下記の５塩化フェノール（Ｐｅｎｔａｃｈｒｏｌｐｈｅｎｏｌ，ＰＣＰ）溶液を使用し、下記ケースＤ，Ｅにおける処理水のＰＣＰ濃度を計測して、脱塩素反応を確認した。
１：原液４として５ｍｇ／Ｌ（５ｐｐｍ）のＰＣＰ溶液を作成する。
２：前記試験と同様な実験システムを使って磁場触媒処理後の溶液（処理液５）中のＰＣＰ濃度を高速液体クロマトグラム法（ＨＰＬＣ）＋電気化学検出器を使って測定する
ケースＤ：５ｐｐｍのＰＣＰを含んだ磁場触媒処理前溶液（原液４）で検出されるＰＣＰのピーク面積
ケースＥ：磁場触媒システムで処理をした時のＰＣＰのピーク面積
その結果を下記表３に示す。
0004346271.tif 000005
以上の結果から、
１：本発明を応用した１回の磁場触媒処理により、約２５％のＰＣＰを消失させることができた。さらに、本磁場処理溶液（処理液５）中の残留塩素濃度が処理前後で優位に上昇することも試験紙法にて確認できており、このＰＣＰの消失は脱塩素反応によるものと推測された。
２：このシステムを多段階式あるいは循環式に構築した場合劇的な脱塩素効果が期待できる。
３：ＰＣＰはダイオキシン類やＰＣＢ等とも共通の特徴を持つ代表的な塩素系有機化合物であり、他の塩素系有機化合物も効率的に脱塩素化（無毒化）できるものと推測される。
実施例３（磁場触媒効果を増強させる例）（脱硝反応）
図１，２の装置を用い、通路１内の充填物の組成を（１）粒子径０．２ｍｍの二酸化チタン、（２）粒子径０．２ｍｍの活性炭、（３）粒子径５ｍｍの磁鉄鉱、を１：１：４の容量比で混合状態で充填する。実施例（１）と同様に硝酸イオンを含む水（原液４）を加圧ポンプ３によって通水し、前後で硝酸イオン濃度を比較する。
0004346271.tif 000006
以上の結果から、
１：二酸化チタンの粒子を細かくし活性炭及び磁鉄鉱を加えることにより、誘導される起電力エネルギーが増強され、脱硝作用も顕著になった。
２：本実施例から、光触媒反応を増強する既知の方法を本発明の磁場触媒法と組み合わせることにより、酸化・還元触媒反応をより増強させ得ることが示唆される。
実施例４（超音波付与による磁場触媒）
実験手順
１．図５に示すように褐色のガラス瓶１０（１００ｍｌ）の中に各種ｐＨ溶液（ｐＨ３，６，９）５ｐｐｍのＮＯ−３溶液８０ｍｌの原液１１を溶解し、実施例（３）で使用した同じ素材の二酸化チタン粒子１ｇと活性炭粒子１ｇと磁鉄鉱粒子５ｇの触媒１２を浸す。さらに、このガラス瓶１０の底に前述したネオジ磁石１３（４，０００Ｇ）を外から張り付ける。
２．下記した各種の波長と出力の超音波を発生する水槽Ｘ，Ｙ，Ｚを準備し、この水槽Ｘ，Ｙ，Ｚの中に上記１で準備した各種ガラス瓶１０を浸し、一定時間超音波を付与し、その前後の窒素酸化物濃度を測定する。図５中、１４は超音波発振装置，１５は水槽Ｘ，Ｙ，Ｚの底部に設けた超音波発振部である。
0004346271.tif 000007
得られた結果を次に示す。
0004346271.tif 000008
0004346271.tif 000009
0004346271.tif 000010
以上の結果から、
１：上記の結果から以下のような傾向が認められる。
１）ｐＨが低いほど総窒素酸化物の吸着及び分解が増強される。総窒素酸化物溶存量で評価すると、低波長帯（３８ＫＨｚ）が最も脱硝効果が高く、次に高周波帯（７７０ＫＨｚ）がこれに続く。
２）中波長帯（１５０ＫＨｚ）のｐＨ３及びｐＨ６では、窒素酸化物総量は変化しないが、ＮＯ−２の濃度が付与エネルギー量依存的に増加する傾向が見られた。さらに、ＰＨ９では、窒素酸化物総量そのものも増加した。この結果は、中波長帯において、ＮＯ−３からＮＯ−２が誘導される反応のみでなく、溶液に溶存する窒素や酸素からＮＯ−やＮＯ−２が誘導される可能性も示唆される。
２：超音波エネルギー付与による磁場触媒反応の場合、低周波帯及び高周波帯は脱硝反応（還元反応）が優位のようであるが、中波長帯では、むしろ溶存ガスからの亜硝酸イオンの誘導（酸化反応）が特徴的であった。これは、磁場触媒の条件によって酸化反応や還元反応の優位性が変化することを意味し、逆にこの特性を利用し、（１）水溶液中の窒素酸化物の除去目的は低周波あるいは高周波帯の超音波照射（２）空気中の一酸化窒素の酸化吸着目的には中波長帯の超音波照射、が有効と考えられる。
３：文献的にも、水分子に超音波を照射すると水分子そのものが分解し、「ＯＨ・」ヒドロキシラジカル（活性酸素）や「Ｈ・」活性水素が発生することが知られている（Ｍａｋｉｎｏ  ｅｔ  ａｌ．，Ｒａｄｉａｔ．Ｒｅｓ．９６，４１６−４２１，１９８３）。磁場触媒法では、この時発生する「ＯＨ・」ヒドロキシラジカル（活性酸素）や「Ｈ・」活性水素を効率的に利用して酸化や還元反応が誘導できるものと推測される。
発明の効果
以上の様に、本発明によれば、流体中のあらゆる荷電粒子に効率的に電磁誘導エネルギー（電磁力）を負与することが可能となり、さらにこれらの励起状態の荷電粒子と半導体触媒と接触させることにより、半導体触媒による化学反応（酸化還元反応、脱窒素、脱硫黄、脱塩素反応）を効率的に誘導することが可能となる。
本発明による磁場触媒システムは、さらに、以下のような利便性もある。
（１）構造が大変簡単で、強磁石と流体に運動エネルギーを与える機器（ポンプ等）さえあれば、大容量の産業用から小規模の一般家庭用まで比較的容易に設計製造できる。
（２）触媒作用を利用しているので、その効果は長期に保たれ、維持管理が容易でコストも低減できる。
さらに、本発明により、
（１）自然環境中に排出される環境ホルモン様物質や洗剤などに代表される人工化学物質の中和除去、
（２）酸性雨や農業排水、一般下水排水等によって生ずる湖沼や海の富栄養化対策、
（３）ゴミ処理施設や産業廃棄物処理施設で排出される大量の塩素有機化合物などの脱塩素化（無毒化）処理、
（４）一般飲料水の浄化対策、
など、が実現可能となり、地球環境問題や人類の福祉の向上に大いに貢献できる。
【図面の簡単な説明】
図１は、実施例１〜３における磁場を印加させていない状態の実施装置の構造を示す説明図である。
図２は、実施例１〜３の実施装置の磁石の配置と計測点を示す説明図である。
図３は、本発明の模式的な説明図である。
図４は、本発明のローレンツ力を示す説明図である。
図５は、実施例４を示す説明図である。
【図１】
0004346271.tif 000011
【図２】
0004346271.tif 000012
【図３】
0004346271.tif 000013
【図４】
0004346271.tif 000014
【図５】
0004346271.tif 000015